(57)【要約】      （修正有）【課題】測定が容易であり、測定時間も短縮することができる、タンクの内蔵部品の取付位置を測定する方法を提供する。【解決手段】内部に内蔵部品を取付けられ、ブロー成形で形成された合成樹脂製のタンク外壁１０を有するタンクの内蔵部品の取付位置を測定する方法において、内蔵部品は、ブロー成形時にタンク外壁１０の内面に融着される取付部材３０を有する。取付部材３０はタンク外壁１０の内面に当接する当接面３３を有する。複数の超音波探触用プローブ５０の先端が、当接面３３の範囲内に位置するように設けられる。当接面３３が取付けられたタンク外壁１０の外面の所定の位置に、複数の超音波探触用プローブ５０の先端を同時に当てて、取付部材３０の位置を検出し、複数の超音波探触用プローブ５０の全ての超音波探触用プローブ５０の先端が当接面３３の位置にあるかどうかを判定する。【選択図】図６
2014070996.tif 000002
【特許請求の範囲】
【請求項１】
内部に内蔵部品を取付けられ、ブロー成形で形成された合成樹脂製のタンク外壁を有するタンクの上記内蔵部品の取付位置を測定する方法において、
上記内蔵部品は、上記ブロー成形時に上記タンク外壁の内面に融着される取付部材を有し、該取付部材は上記タンク外壁の内面に当接する当接面を有し、
複数の超音波探触用プローブの先端が、上記当接面の範囲内に位置するように設け、
上記内蔵部品の上記取付部材を上記タンク外壁の内面に取付け後に、上記取付部材の当接面が取付けられたタンク外壁の外面の所定の位置に、上記複数の超音波探触用プローブの先端を同時に当てて、上記取付部材の位置を検出し、上記複数の超音波探触用プローブの全ての超音波探触用プローブの先端が上記取付部材の当接面の位置にあるかどうかを判定することを特徴とするタンクの内蔵部品の取付位置を測定する方法。
【請求項２】
上記複数の超音波探触用プローブの先端は、円周上に配置され、該円周は上記当接面の外周よりも小さいとともに、上記円周と上記当接面の外周との寸法差が、上記取付部材の取付位置のずれの許容範囲と同じか又は小さい請求項１に記載のタンクの内蔵部品の取付位置を測定する方法。
【請求項３】
上記タンク外壁の凹凸対応した形状を有するプローブ保持具に上記複数の超音波探触用プローブを取付け、上記タンク外壁の外面の所定の位置に上記複数のプローブ保持具を当接させることにより全ての上記複数の超音波探触用プローブの先端を同時に上記内蔵部品が取付けられたタンク外壁の外面の所定の位置に位置させる請求項１又は請求項２に記載のタンクの内蔵部品の取付位置を測定する方法。
【請求項４】
上記取付部材は、上記内蔵部品とは別体又は一体で形成された後、上記内蔵部品と係合された請求項１乃至請求項３のいずれか１項に記載のタンクの内蔵部品の取付位置を測定する方法。
【請求項５】
上記取付部材の上記タンクの内面に当接する面に該当接面から上記タンク外壁の内面に向けて突出する複数の当接ピンが形成され、該当接ピンが上記タンク外壁に進入している請求項１乃至請求項４のいずれか一項に記載のタンクの内蔵部品の取付位置を測定する方法。
【請求項６】
上記タンクは、自動車用燃料タンクである請求項１乃至請求項５のいずれか１項に記載のタンクの内蔵部品の取付位置を測定する方法。
【請求項７】
上記内蔵部品は、タンク内部の液体の流動音抑制のためのバッフルプレート又は、バルブが形成された請求項１乃至請求項６のいずれか１項に記載のタンクの内蔵部品の取付位置を測定する方法。
【発明の詳細な説明】
【技術分野】
【０００１】
本発明は、内部に内蔵部品を取付けられ、ブロー成形で形成された合成樹脂製のタンク外壁を有するタンクにおいて、内蔵部品の取付位置を測定する方法に関するものであり、特に、熱可塑性合成樹脂部材をブロー成形することによりタンク外壁が形成され、タンク外壁の内部に内蔵部品が融着されたタンクの内蔵部品の取付位置を測定する方法に関するものである。
【背景技術】
【０００２】
従来、自動車用の燃料タンク等のタンク構造としては、金属製のものが用いられていたが、近年、車両の軽量化や、錆が発生しないこと、所望の形状に成形しやすいことなどによって熱可塑性合成樹脂製のものが用いられるようになってきた。
熱可塑性合成樹脂製の自動車用燃料タンク等のタンクの製造は、中空体を成形することの容易性からブロー成形方法が多く用いられてきた。ブロー成形方法では、溶融した熱可塑性合成樹脂部材のパリソンを円筒状にして上から押出して、そのパリソンを金型で挟みパリソン中に空気を吹き込み、自動車用燃料タンク等を製造していた。
【０００３】
一方、ブロー成形方法においても、タンクの内部にバルブ類や燃料の流動音を抑制するためのバッフルプレート等の内蔵部品を設けることが求められている。
そこで、内蔵部品を樹脂枠にセットして、その樹脂枠を金型内にセットして、ブロー成形して樹脂枠を燃料タンク外壁の内周面に固着して内蔵部品を燃料タンク内部に取付けるものがある（例えば、特許文献１参照。）。
【０００４】
また、燃料タンクの内部に内蔵部品を設けるには、図１５〜図１６に示すように行っている場合もある（例えば、特許文献２参照。）。
それは、まず、図１５に示すように、パリソン１０８がブロー成形金型１４０内に入る前に内蔵部品１２０を支持棒１４１に載せて、ブロー成形金型１４０を開いて、その内部に位置させる。その後、ブロー成形金型１４０を開いたままで、パリソン１０８を下降させて、パリソン１０８の内部に内蔵部品１２０が位置するようにする。
【０００５】
その後、図１６に示すように、ブロー成形金型１４０を閉じる前に、ブロー成形金型１４０の両側から押圧ピン１４２を出し、パリソン１０８を押圧して、パリソン１０８を内蔵部品１２０の側端に押付ける。このとき、パリソン１０８の内面はまだ固化していないので、パリソン１０８の内面と内蔵部品１２０の側端１３３は、融着することができる。
そして、支持棒１４１を下降させて、ブロー成形金型１４０を閉じて、空気を吹き込み、ブロー成形を行う。
【０００６】
この場合は、内蔵部品１２０の取付位置は、外部から確認することは困難であった。特に、パリソン１０８が不透明の場合には、外部から直接的に内蔵部品１２０の取付位置を確認することは困難であった。
【０００７】
そこで、図１７に示すように、超音波探触用プローブ２５０を用いて、接合部品２０３（内蔵部品）の位置を検出する技術がある（例えば、特許文献３参照。）。
この場合は、合成樹脂よりなる本体部品２０２と、本体部品２０２の裏側面２２１に溶着された同材質の合成樹脂よりなる接合部品２０３（内蔵部品）とを有するタンク等の中空製品において、接合部品２０３には、接合された面とは反対側の裏側面２３１に、本体部品２０２における本体基準点上に位置するべき部品基準点２３３に関して規則的に配設された検査用段差部２３２が設けられている。
【０００８】
そして、本体部品２０２の表側面２２３から接合部品２０３の位置検出を行うに当たっては、超音波を先端から発する超音波探触用プローブ２５０を用い、本体部品２０２の表側面２２３上に超音波探触用プローブ２５０を当接させ、本体基準点２２２上またはその近傍の検査基準点２４２に関して規則的に上記超音波探触用プローブ２５０を移動させ、超音波探触用プローブ２５０の移動軌跡と検査用段差部２３２とが交わる交点位置を複数検出し、交点位置を基にして幾何学的に部品基準点２３３の存在位置を特定している。
【先行技術文献】
【特許文献】
【０００９】
【特許文献１】特開平１−３０１２２７号公報
【特許文献２】特開平６−１４３３９６号公報
【特許文献３】特開２０１０−８５１６８号公報
【発明の概要】
【発明が解決しようとする課題】
【００１０】
しかしながら、この測定では、本体基準点２２２上またはその近傍の検査基準点２４２に関して規則的に上記超音波探触用プローブ２５０を移動させ、超音波探触用プローブ２５０の移動軌跡と検査用段差部２３２とが交わる交点位置を複数検出し、交点位置を基にして幾何学的に部品基準点２３３の存在位置を特定しているため、規則的に超音波探触用プローブ２５０を移動させて、複数回の測定を行う必要があり、測定が複雑であり、測定に手間がかかることになる。
【００１１】
そのため、本発明は、タンクの内蔵部品の取付位置を測定する方法において、測定が容易であり、測定時間も短縮することができる、タンクの内蔵部品の取付位置を測定する方法を提供することを課題とする。
【課題を解決するための手段】
【００１２】
上記課題を解決するための請求項１の本発明は、内部に内蔵部品を取付けられ、ブロー成形で形成された合成樹脂製のタンク外壁を有するタンクの内蔵部品の取付位置を測定する方法において、
内蔵部品は、ブロー成形時にタンク外壁の内面に融着される取付部材を有し、取付部材はタンク外壁の内面に当接する当接面を有し、
複数の超音波探触用プローブの先端が、当接面の範囲内に位置するように設け、
内蔵部品の取付部材をタンク外壁の内面に取付け後に、取付部材の当接面が取付けられたタンク外壁の外面の所定の位置に、複数の超音波探触用プローブの先端を同時に当てて、取付部材の位置を検出し、複数の超音波探触用プローブの全ての超音波探触用プローブの先端が取付部材の当接面の位置にあるかどうかを判定することを特徴とするタンクの内蔵部品の取付位置を測定する方法である。
【００１３】
請求項１の本発明では、内蔵部品は、ブロー成形時にタンク外壁の内面に融着される取付部材を有し、取付部材はタンク外壁の内面に当接する当接面を有する。このため、当接面がタンク外壁の内面に融着して、タンク外壁と一体になり、超音波探触用プローブでタンク外壁を測定すると、当接面の部分は、タンク外壁と当接面の部分の肉厚を合わせた肉厚として測定することができる。
【００１４】
複数の超音波探触用プローブの先端が、当接面の範囲内に位置するように設けた。このため、内蔵部品の取付部材が所定の位置に取付けられている場合には、複数の超音波探触用プローブをタンク外壁に当接したときに、全ての複数の超音波探触用プローブの先端は、取付部材の当接面の範囲内に位置することができる。
さらに、内蔵部品が取付けられたタンク外壁の外面の所定の位置に、複数の超音波探触用プローブを１回当てるのみで、内蔵部品の取付位置の良否が判断することができ、超音波探触用プローブをずらすことなく、測定が容易で、迅速である。そのため、大量生産の場合において、内蔵部品の取付位置の測定が容易である。
【００１５】
内蔵部品の取付部材をタンク外壁の内面に取付け後に、取付部材の当接面が取付けられたタンク外壁の外面の所定の位置に、複数の超音波探触用プローブの先端を同時に当てて、取付部材の位置を検出し、複数の超音波探触用プローブの全ての超音波探触用プローブの先端が取付部材の当接面の位置にあるかどうかを判定する。
【００１６】
複数の超音波探触用プローブの先端が、全て取付部材の当接面の位置に対応するタンク外壁の範囲内にあれば、全てのプローブ測定値がタンク外壁と融着部品の合計肉厚値となるため、容易に取付部材が所定の位置に取付けられていることを判定できる。
また、複数の超音波探触用プローブのうち少なくとも１つの超音波探触用プローブの先端が、当接面から外れていれば、その外れた超音波探触用プローブのみは、タンク外壁のみの肉厚を測定するため、容易に超音波探触用プローブの先端が当接面から外れていることを判定することができる。その場合には、複数の超音波探触用プローブはタンク外壁の所定の位置に当接するため、取付部材が所定の位置から外れて取付けられていることが容易に判定することができる。
【００１７】
請求項２の本発明は、複数の超音波探触用プローブの先端は、円周上に配置され、円周は当接面の外周よりも小さいとともに、円周と当接面の外周との寸法差が、取付部材の取付位置のずれの許容範囲と同じか又は小さいタンクの内蔵部品の取付位置を測定する方法である。
【００１８】
請求項２の本発明では、複数の超音波探触用プローブの先端は、円周上に配置され、円周は当接面の外周よりも小さいとともに、円周と当接面の外周との寸法差が、取付部材の取付位置のずれの許容範囲と同じか又は小さい。このため、円周と当接面の外周との寸法差を、内蔵部品の取付位置のずれの許容範囲と同じか又は小さくして、複数の超音波探触用プローブの先端を同時に内蔵部品が取付けられたタンク外壁の外面の所定の位置に当てることにより、全ての超音波探触用プローブが当接面内にあれば、内蔵部品の取付位置は合格であり、当接面の部分を外れれば、内蔵部品の取付位置は不合格であると判定することができ、測定と判定が容易である。
【００１９】
請求項３の本発明は、タンク外壁の凹凸対応した形状を有するプローブ保持具に複数の超音波探触用プローブを取付け、タンク外壁の外面の所定の位置にプローブ保持具を同時に当接させることにより、全ての複数の超音波探触用プローブの先端を同時に内蔵部品が取付けられた、タンク外壁の外面の所定の位置に位置させるタンクの内蔵部品の取付位置を測定する方法である。
【００２０】
請求項３の本発明では、タンク外壁の凹凸対応した形状を有するプローブ保持具に複数の超音波探触用プローブを取付け、タンク外壁の外面の所定の位置にプローブ保持具を当接させることにより、全ての複数の超音波探触用プローブの先端を同時に内蔵部品が取付けられた、タンク外壁の外面の所定の位置に位置させた。このため、プローブ保持具をタンク外壁の凹凸に合わせることにみで、複数の超音波探触用プローブの先端がタンク外壁の外面の所定の位置に確実に容易に固定することができ、複数の超音波探触用プローブにより、内蔵部品の取付位置の良否が判断することができ、大量生産の場合において、内蔵部品が取付位置の測定が容易である。
【００２１】
請求項４の本発明は、取付部材は、内蔵部品とは別体又は一体で形成された後、内蔵部品と係合されたタンクの内蔵部品の取付位置を測定する方法である。
【００２２】
請求項４の本発明では、取付部材は、内蔵部品とは別体又は一体で形成された後、内蔵部品と係合された。このため、別体で形成された場合は、取付部材の成形が容易であり、取付部材の当接面の形状を自由に形成することができる。また、取付部材の材質を選択することが容易で、耐燃料油性で、燃料タンク外壁と融着しやすい材料を選択することができる。一体で形成された場合には、一度の成形で形成できるため安価である。
【００２３】
請求項５の本発明は、内蔵部品のタンクの内面に当接する当接面からタンク外壁の内面に向けて突出する複数の当接ピンが形成され、当接ピンがタンク外壁に進入しているタンクの内蔵部品の取付位置を測定する方法である。
【００２４】
請求項５の本発明では、内蔵部品のタンクの内面に当接する面に当接面からタンク外壁の内面に向けて突出する複数の当接ピンが形成され、当接ピンがタンク外壁に進入している。このため、複数の当接ピンが燃料タンク外壁の内部に侵入して、融着し、取付部材を強固に燃料タンク外壁と固着することができる。
【００２５】
請求項６の本発明は、タンクは、自動車用燃料タンクであるタンクの内蔵部品の取付位置を測定する方法である。
【００２６】
請求項６の本発明では、タンクは、自動車用燃料タンクであるため、燃料タンク内に取付けられた内蔵部品を、所定の位置の燃料タンク外壁の内面に融着して固定することができ、自動車用燃料タンク内の燃料の振動を防止して、自動車用燃料タンクの強度を向上させることができる。
【００２７】
請求項７の本発明は、内蔵部品は、燃料の流動音抑制のためのバッフルプレート又は、バルブが形成されたタンクの内蔵部品の取付位置を測定する方法である。
【００２８】
請求項７の本発明では、内蔵部品は、燃料の流動音抑制のためのバッフルプレート又は、バルブが形成されたため、燃料タンクをブロー成形すると同時にバッフルプレート又は、バルブを取付けて燃料の排出、燃料蒸気の排出防止、燃料の流動音抑制をすることができる燃料タンクを容易に製造することができる。
【発明の効果】
【００２９】
取付部材の当接面が取付けられたタンク外壁の外面の所定の位置に、複数の超音波探触用プローブの先端を同時に当てて、取付部材の位置を検出し、複数の全ての超音波探触用プローブが取付部材の当接面の位置にあるかどうかを判定する。
複数の超音波探触用プローブのうち少なくとも１つの超音波探触用プローブが、当接面から外れていれば、その外れた超音波探触用プローブのみは、タンク外壁のみの肉厚を測定するため、容易に取付部材が所定の位置から外れていることを判定することができる。
【図面の簡単な説明】
【００３０】
【図１】本発明の実施の形態で、内蔵部品の位置を測定する燃料タンク斜視図である。
【図２】本発明の実施の形態で、内蔵部品の位置を測定する燃料タンクの内部に取付けられる内蔵部品の斜視図である。
【図３】本発明の実施の形態で、燃料タンクのタンク外壁の内面に取付けられ取付位置を測定される内蔵部品の取付部材の平面図である。
【図４】本発明の実施の形態で、燃料タンクのタンク外壁の内面に取付けられ取付位置を測定される内蔵部品の取付部材の断面図であり、図３のＡ−Ａ線に沿った断面図である。
【図５】本発明の実施の形態で、測定する内蔵部品の取付部材が、燃料タンクの所定位置に取付けられた状態を示す模式斜視図である。
【図６】本発明の実施の形態で、測定する内蔵部品の取付部材が、燃料タンクの所定位置に取付けられた状態を示す断面図であり、図５のＢ−Ｂ線に沿った断面図である。
【図７】本発明の実施の形態で、複数の超音波探触用プローブが円周上に取付けられ、取付部材の内側に位置することを示す概念図である。
【図８】本発明の実施の形態で、測定する内蔵部品の取付部材が燃料タンクの所定位置からずれて取付けられた状態を示す模式斜視図である。
【図９】本発明の実施の形態で、測定する内蔵部品の取付部材が、燃料タンクの所定位置からずれて取付けられた状態を示す断面図であり、図８のＣ−Ｃ線に沿った断面図である。
【図１０】本発明の実施の形態で、複数の超音波探触用プローブが円周上に取付けられ、１つの超音波探触用プローブが取付部材の外側に位置することを示す概念図である。
【図１１】本発明の実施の形態で、測定する内蔵部品の取付部材が、燃料タンク外壁の凹部の所定位置に取付けられた超音波探触用プローブの取付状態を示す断面図である。
【図１２】本発明の実施の形態で、内蔵部品の測定する燃料タンク製造方法においてブロー成形金型を開いた状態の断面図である。
【図１３】本発明の実施の形態で、測定する内蔵部品を内部に有する燃料タンク製造方法において、ブロー成形金型の押圧ピンをスライドさせた状態の断面図である。
【図１４】本発明の実施の形態で、測定する内蔵部品を内部に有する燃料タンク製造方法において、ブロー成形金型を閉じた状態の断面図である。
【図１５】従来の内蔵部品を内部に有する燃料タンク製造方法において、ブロー成形金型を開いた状態の断面図である。
【図１６】従来の内蔵部品を内部に有する燃料タンク製造方法において、ブロー成形金型の押圧ピンをスライドさせた状態の断面図である。
【図１７】従来の方法で取付部材が燃料タンクの内側に取付けられた状態を測定する模式図である。
【発明を実施するための形態】
【００３１】
本発明のタンクの内蔵部品２０の取付位置を測定する方法の実施の形態について、自動車用の燃料タンク１の内部に取付けられた内蔵部品２０の取付位置の測定法を例にとり説明する。本発明は、自動車用の燃料タンク１以外にも、内蔵部品２０を有するタンクについて広く実施することができる。
【００３２】
本発明の実施の形態について、まず測定対象の自動車用の燃料タンク１と内蔵部品２０の構造について説明し、その後、燃料タンク１の内蔵部品２０の取付位置を測定する方法について説明し、さらに、測定対象の燃料タンク１と内蔵部品２０の取付方法について説明する。
【００３３】
本発明の実施の形態の内部に内蔵部品２０を取付けられ、ブロー成形で形成された合成樹脂製のタンク外壁１０を有する自動車用の燃料タンク１と内蔵部品２０について、図１〜図４に基づき説明する。
本発明の実施の形態では、燃料タンク１は、図１に示すように、その燃料タンク１に燃料ポンプ（図示せず）等を出し入れするためにポンプユニット取付孔４が上面に形成されている。また、燃料タンク１の側面又は上面には、インレットパイプ（図示せず）から燃料を注入する燃料注入孔５が形成されている。
【００３４】
また、燃料タンク１の周囲には外周リブ２が全周に亘り形成されており、外周リブ２のコーナー部等の所定箇所には、数箇所に亘り取付用孔３が形成され、取付用孔３と車体をボルト締めすることにより、燃料タンク１を車体に取付けている。取付用孔３ではなく、燃料タンク１の外周にベルトをかけてそのベルトにより燃料タンク１を車体に取り付けることもできる。
さらに、燃料タンク１の上面には、内部の燃料蒸気を回収するホース等を接続する各所の取付孔６が形成されている。
【００３５】
本実施の形態において、燃料タンク１は、ブロー成形で形成され、そのタンク外壁１０は、１層で形成してもよく、多層で形成することもできる。多層で形成する場合には、例えば、外側から順に表皮層、外部本体層、外部接着剤層、バリヤ層、内部接着剤層及び内部本体層からなる６層で形成することができる。６層以上の層構成を有するパリソンを使用することもできる。
また、表皮層は外部本体層に再生部材や、フィラー等を混入する場合に使用されるが、表皮層を省略することもできる。さらに、剛性と耐燃料油性を有する材料を使用すれば、１層構成のパリソンを使用することもできる。
【００３６】
表皮層、外部本体層は、耐衝撃性が大きく、燃料油に対しても剛性が維持される熱可塑性合成樹脂から形成され、高密度ポリエチレン（ＨＤＰＥ）から形成されることが好ましい。外部本体層が、無機フィラーを含有した場合には、外部本体層の表面を覆うため、表皮層が使用され、表面に無機フィラーが出ることがなく、表面を円滑にすることができる。
１層構成のパリソンの場合には、高密度ポリエチレン（ＨＤＰＥ）を使用することができる。
【００３７】
多層の構成の場合の表皮層と外部本体層と、内部本体層に使用する高密度ポリエチレン（ＨＤＰＥ）は、例えば、具体的には以下のポリエチレンを使用することができる。
高密度ポリエチレン（ＨＤＰＥ）は、溶融流動速度（ＭＲＦ：２１．６ｋｇ／１０ｍｉｎ）が５〜７であって、密度（ｇ／ｃｍ３）が０．９４４〜０．９５０のものを使用することができる。
【００３８】
バリヤ層は、燃料油の透過が極めて少ない熱可塑性合成樹脂から形成されている。バリヤ層を構成する熱可塑性合成樹脂は、例えば、エチレンビニルアルコール共重合体（ＥＶＯＨ）、ポリブチレンテレフタレート、ポリエチレンテレフタレート、ポリフェニレンサルファイド（ＰＰＳ）、液晶ポリマー（ＬＣＰ）、半芳香族ナイロン（ＰＰＡ）を使用することができるが、エチレンビニルアルコール共重合体（ＥＶＯＨ）が好ましい。
バリヤ層を有するため、後述する内部本体層１６を浸透してきたガソリン等の燃料油を、バリヤ層で透過を防ぐことができ、大気中に燃料油が蒸発することを防止できる。
【００３９】
外部接着剤層は、外部本体層とバリヤ層の間に設けられて、この２層を接着し、内部接着剤層は、内部本体層とバリヤ層の間に設けられて、この２層を接着する。外部接着剤層と内部接着剤層は、同じ材料で形成され、高密度ポリエチレン（ＨＤＰＥ）とバリヤ層１４の両方に接着性を有する合成樹脂で形成される。
【００４０】
燃料タンク１の内部には、例えば、図２に示す内蔵部品２０が取付けられている。内蔵部品２０の取付け方法については後述する。
次に、図２に基づき、内蔵部品２０について説明する。内蔵部品２０は、燃料タンク１の外壁の内面の上下を支える複数の柱部材２１と、柱部材２１を相互に連結する梁部材２２を有する。
【００４１】
柱部材２１の燃料タンク１の外壁の内面に当接する先端部分には、取付部材３０が取付けられている。本実施の形態では、取付部材３０は、柱部材２１の先端に柱部材２１とは別体で形成されて係止されているが、柱部材２１と取付部材３０を一体的に形成してもよい。
取付部材３０については、後述する。
【００４２】
柱部材２１は、燃料タンク１の内部の所定の位置に取付けられて、後述するように取付部材３０がタンク外壁１０の内面に融着されることにより、燃料タンク１内に取付けられて、タンク外壁１０の複数の部分を保持することができる。このため、タンク外壁１０の強度を増加させることができるとともに、燃料タンク１の膨張や収縮を防止できるとともに、衝撃に対しても強度を維持することができる。
【００４３】
また、柱部材２１は、図２の左端部に示すように、上側の取付部材３０と下側の取付部材３０が梁部材２２の部分で若干ずれて設けられてもよい。
さらに、柱部材２１の一部にタンク外壁１０の収縮あるいは膨張に対応するために寸法変化防止部材２３を形成することができる。
【００４４】
梁部材２２は、柱部材２１を相互に連結して、梁部材２２を燃料タンク１の外壁内面の所定の位置に取付けられるようにすることができる。梁部材２２は、軽量化と剛性を確保するため、断面コ字形又は中空状に形成することができる。
また、図２に示すように、梁部材２２にバッフルプレート２４を一体的に形成することができる。この場合には、燃料タンク１内の燃料の波打ちを防止して、流動音抑制をすることができる。
【００４５】
また、バッフルプレート２４以外にも、各種のホース類と接続するバルブ類や、燃料タンク１の内部に設けられるサブタンク等を梁部材２２に設けることができる。
さらに、梁部材２２の一部に燃料タンク１のタンク外壁１０の収縮あるいは膨張に対応するために寸法変化防止部材２３を形成することができる。
【００４６】
内蔵部品２０は、ポリアセタール、高密度ポリエチレン（ＨＤＰＥ）等の耐燃料油性の熱可塑性合成樹脂で形成することができる。これにより燃料タンク１の強度を向上させることができるとともに、燃料タンク１の内部に取付けられても、燃料油による膨潤等で剛性が低下することがない。
【００４７】
つぎに、取付部材３０について説明する。取付部材３０は、図３と図４に示すように円筒状又は四角形の筒状に形成する場合や、平板状に形成する場合がある。
円筒状又は四角形の筒状に形成する場合について、図３と図４に基づき説明する。図３は、取付部材３０の平面図、図４は取付部材３０の断面図である。
【００４８】
取付部材３０は、内蔵部品２０と連結又は連続する連結部３１と、タンク外壁１０の内面に当接する当接部３２から形成される。
本実施の形態では、取付部材３０は内蔵部品２０と別体で形成され、連結部３１は、柱部材２１の形状に合わせて円筒状に形成され、内部が中空状である。柱部材２１が四角柱状の場合には、四角柱状に形成される。連結部３１の下端には、係止部３８が形成され、連結部３１が柱部材２１の先端に嵌め込まれたときに、係止部３８の爪が柱部材２１の先端部に形成された凹部又は孔に係合されて、取付部材３０が強固に取付けられる。取付部材３０は、タンク外壁１０と融着するために、タンク外壁１０の材料と同種類の材料を使用する。
【００４９】
なお、取付部材３０が柱部材２１と一体的に形成される場合は、連結部３１は柱部材２１と連続して形成される。
平板状の取付部材３０の場合は、連結部３１はなく、当接部３２の下面に設けられた突起や、接着面で直接、柱部材２１の先端に係止又は接着して取付けられる。
【００５０】
当接部３２は、タンク外壁１０の内面に対向する円形の平面である当接面３３を形成している。なお、当接面３３は、円形ではなく多角形や楕円形にすることもできる。取付部材３０をタンク外壁１０の内面に取付けると、当接面３３はタンク外壁１０の内面に融着して一体化される。
【００５１】
取付部材３０は、上述のように、内蔵部品２０とは別体又は一体で形成することができる。別体で形成された場合は、取付部材３０の成形が容易であり、取付部材３０の当接面３３の形状を自由に形成することができる。また、取付部材３０の材質を選択することが容易で、耐燃料油性で、燃料タンク外壁と融着しやすい材料を選択することができる。一体で形成された場合には、一度の成形で形成できるため安価である。
【００５２】
取付部材３０の当接面３３からタンク外壁１０の内面に向けて複数の当接ピンを形成することもできる。この場合には、ブロー成形時に、当接ピンがタンク外壁１０に進入している。このため、複数の当接ピンがタンク外壁１０の内部に侵入して、融着し、取付部材３０を強固にタンク外壁１０と固着することができる。
【００５３】
次に、取付部材３０の位置を測定する複数の超音波探触用プローブ５０について説明する。本実施の形態では、４本の超音波探触用プローブ５０を使用する。
図７に示すように、４本の超音波探触用プローブ５０である第１超音波探触用プローブ５５、第２超音波探触用プローブ５６、第３超音波探触用プローブ５７、第４超音波探触用プローブ５８は、其の先端が円周上に、均等に離れて位置するように取付けられている。
超音波探触用プローブ５０は、３本でも５本以上でも円周上に均等に取付られることができる。
【００５４】
後述するように、第１超音波探触用プローブ５５、第２超音波探触用プローブ５６、第３超音波探触用プローブ５７、第４超音波探触用プローブ５８の中心であるプローブ中心位置５４は、取付部材３０が所定位置に取付けられたときには、取付部材３０の中心位置に位置するように取付けられる。
【００５５】
そして、第１超音波探触用プローブ５５、第２超音波探触用プローブ５６、第３超音波探触用プローブ５７、第４超音波探触用プローブ５８の取付けられた円周は、取付部材３０の外周よりも小さく形成される。取付部材３０の外周と上記の円周の大きさの寸法差（図７に示すＬ）は、取付部材３０の取付位置のずれの許容範囲と同じか又は小さく設定することが好ましい。
【００５６】
次に、内蔵部品２０が燃料タンク１のタンク外壁１０の内面に取付けられたときに、その取付位置を測定する方法について、図５〜図１１に基づき説明する。
図５は、取付部材３０が、燃料タンク１のタンク外壁１０の内面の所定位置に取付けられた状態を示す模式斜視図である。内蔵部品２０は、図５においては省略されているが、取付部材３０に連結して燃料タンク１内に取付けられている。
図６は、取付部材３０が、燃料タンク１のタンク外壁１０の内面の所定位置に取付けられた状態の断面図である。
【００５７】
取付部材３０が、タンク外壁１０の内面の所定位置に取付けられた状態においては、図６に示すように、４本の超音波探触用プローブ５０の先端がタンク外壁１０の外面に当接したときに、いずれも取付部材３０の当接面３３に対応するタンク外壁１０の外面の内部に位置する。
【００５８】
このとき、取付部材３０の当接面３３は、タンク外壁１０の内面と溶着して一体となっている。
内蔵部品２０の取付部材３０の取付位置の測定は、図６と図７に示すように、４本の超音波探触用プローブ５０（第１超音波探触用プローブ５５、第２超音波探触用プローブ５６、第３超音波探触用プローブ５７、第４超音波探触用プローブ５８の中心であるプローブ中心位置５４）の先端をタンク外壁１０の所定場所の外面に同時に当接させて行う。
【００５９】
即ち、所定場所とは、内蔵部品２０の取付部材３０の当接面３３が位置する場所に対応するタンク外壁１０の外面である。４本の超音波探触用プローブ５０は、当接面３３が位置する場所として定められた場所に対応するタンク外壁１０の外面の凹凸対応した形状であり、その凹凸に当接するように取付けられる。取付部材３０が正しく所定の位置に取付けられると、プローブ中心位置５４が当接面３３の中心位置にくるように取付けられる。
【００６０】
内蔵部品２０の取付部材３０が所定の場所に取付けられると、４本の超音波探触用プローブ５０（第１超音波探触用プローブ５５、第２超音波探触用プローブ５６、第３超音波探触用プローブ５７、第４超音波探触用プローブ５８の中心であるプローブ中心位置５４）の先端は、いずれも当接面３３が位置する場所として定められた場所に対応するタンク外壁１０の外面の範囲内に当接する。このため、４本の超音波探触用プローブ５０から発信される超音波は、当接面３３の表面を通り、タンク外壁１０と当接部３２の合計の肉厚を測定する。そして、４本の超音波探触用プローブ５０が測定する部分は、同じ肉厚であり、測定値が同じになり、内蔵部品２０が所定の位置に取付けられていることが判定できる。
【００６１】
図８に示すように、内蔵部品２０の取付部材３０が所定の場所からずれて取付けられると、４本の超音波探触用プローブ５０の先端のうち少なくとも１本は、当接面３３が存在する位置から外れて、位置する。本実施の形態では第１超音波探触用プローブ５５の先端が当接面３３から外れて位置する。
【００６２】
この場合に、第１超音波探触用プローブ５５から発信される超音波は、当接面３３からずれて、タンク外壁１０の肉厚のみを測定をすることとなる。他の、第２超音波探触用プローブ５６、第３超音波探触用プローブ５７、第４超音波探触用プローブ５８は、タンク外壁１０と当接部３２の合計の肉厚を測定するため、第１超音波探触用プローブ５５の測定値と異なることとなり、取付部材３０がずれて取付けられていることが判定できる。
【００６３】
このとき、上記のとおり、４本の超音波探触用プローブ５０は、円周上に配置され、円周は当接面の外周よりも小さいとともに、円周と当接面３３の外周との寸法差が、取付部材３０の取付位置のずれの許容範囲と同じか又は小さく取付けられている。円周と当接面３３の外周との寸法差を、内蔵部品２０の取付位置のずれの許容範囲と同じか又は小さくする場合には、４本の超音波探触用プローブ５０の先端を同時に取付部材３０が取付けられたタンク外壁１０の外面の所定の位置に当てることにより、４本全ての超音波探触用プローブ５０が当接面内にあれば、取付部材３０の取付位置は合格であり、当接面３３の部分を外れれば、取付部材３０の取付位置は不合格であると判定することができ、測定と判定が容易である。
【００６４】
この４本の超音波探触用プローブ５０による測定は、それぞれの超音波探触用プローブ５０にケーブル５２が取付けられて、ケーブル５２は、それぞれの超音波探触用プローブ５０からの超音波信号を演算して処理する計測装置（図示せず。）にそれぞれ接続されている。それぞれの超音波探触用プローブ５０には、発信素子と受信素子が取付けられて、４本の超音波探触用プローブ５０のそれぞれのプローブ下面５１が、測定対象物と当接するように構成されている。
【００６５】
発信素子は、ケーブル５２から供給された信号により駆動されて超音波を発生させる発信機として働き、受信素子は、タンク外壁１０の内面を通り当接面３３のタンク内側の面から、又はタンク外壁１０の内面から反射された超音波の受信機として機能している。
【００６６】
また、図１１に示すように、燃料タンク１のタンク外壁１０が凹凸面や段差を有する場合には、タンク外壁１０の凹凸対応した形状を有するプローブ保持具５３に４本の超音波探触用プローブ５０を取付けることができる。この場合には、タンク外壁１０の外面の所定の位置、即ち、内蔵部品２０が取付けられた場所に対応するタンク外壁１０の外面にプローブ保持具５３を当接させることにより、４本の超音波探触用プローブ５０の先端を同時にタンク外壁１０の所定位置に当接させることができる。
【００６７】
このため、プローブ保持具５３をタンク外壁１０の凹凸に嵌めることにより、４本の超音波探触用プローブ５０がタンク外壁１０の外面の所定の位置に確実に容易に固定することができ、プローブ保持具５３と４本の超音波探触用プローブ５０を当てるのみで、内蔵部品２０の取付位置の良否が判断することができ、大量生産の場合において、内蔵部品２０の取付位置の測定が容易である。
【００６８】
次に、ブロー成形による本件発明の燃料タンク１の製造方法を、図１２〜図１４に基づき説明する。
まず、図１２に示すように、内蔵部品２０を支持棒４１に保持して、ブロー成形金型４０が開いた内部に位置させる。その後、パリソン８を下降させて、内蔵部品２０をパリソン８の内部に位置させる。
【００６９】
そして、図１３に示すように、第１ピンチ板４３をスライドさせて、パリソン８の下端を支持棒４１とともに挟持する。それとともに、ブロー成形金型４０に設けられた複数の押圧ピン４２をスライドさせて、パリソン８を内蔵部品２０に取付けられた取付部材３０と押圧ピン４２で挟むように押圧する。
【００７０】
そうすると、パリソン８の内面はまだ溶融状態にあるため、上述のように、取付部材３０の当接面３３とパリソン８が溶着し、タンク外壁１０と当接面３３が一体となる。このとき、内蔵部品２０は、支持棒４１により保持されているので、取付部材３０と内蔵部品２０は、タンク外壁１０の内面の所定の位置に確実に取付けられることができる。
【００７１】
その後、図１４に示すように、支持棒４１を下降させてブロー成形金型４０から抜き、第２ピンチ板４４をスライドさせてパリソン８を閉じるとともに、ブロー成形金型４０を閉じて、スライドカッター４６でパリソン８を切断する。ブロー成形金型４０を閉じるときには、押圧ピン４２は、そのままパリソン８を押圧続ける。これにより、取付部材３０がパリソン８の内面に取付けられて、内蔵部品２０を燃料タンク１内の所定位置に保持し続けることができる。
【００７２】
そして、エアノズル４５からパリソン８の内部に空気を吹き込み、パリソン８の外面をブロー成形金型４０に押圧して、燃料タンク１を形成する。このとき、押圧ピン４２の先端面とブロー成形金型４０のキャビティー内面とは同一平面になることができる。
その後、ブロー成形金型４０を開き、燃料タンク１を取出す。
これによって、内蔵部品２０を有する燃料タンク１を形成することができる。
【符号の説明】
【００７３】
１  燃料タンク
８  パリソン
１０  タンク外壁
１１  タンク外壁進入部
２０  内蔵部品
３０  取付部材
３１  連結部
３２  当接部
３３  当接面
５０  超音波探触用プローブ
５３  プローブ保持具
【図１】
2014070996.tif 000003
【図２】
2014070996.tif 000004
【図３】
2014070996.tif 000005
【図４】
2014070996.tif 000006
【図５】
2014070996.tif 000007
【図６】
2014070996.tif 000008
【図７】
2014070996.tif 000009
【図８】
2014070996.tif 000010
【図９】
2014070996.tif 000011
【図１０】
2014070996.tif 000012
【図１１】
2014070996.tif 000013
【図１２】
2014070996.tif 000014
【図１３】
2014070996.tif 000015
【図１４】
2014070996.tif 000016
【図１５】
2014070996.tif 000017
【図１６】
2014070996.tif 000018
【図１７】
2014070996.tif 000019